(57)【特許請求の範囲】
【請求項１】
外ケースと、該外ケースに収容される本体内部と、を備える炊飯器本体と、
前記炊飯器本体を開閉可能に、前記炊飯器本体に連結される蓋体と、
前記炊飯器本体に収容される内鍋と、
前記本体内部に電力を供給する電源コードと、を備える炊飯器であって、
前記外ケースにはケース開口部が形成され、
前記本体内部における前記電源コードとの接続部材は、保持部材を介して前記本体内部に固定され、前記本体内部に保持されるとともに、前記外ケースのケース開口部に臨んで配設され、
前記接続部材に固定されるノイズフィルタ基板をさらに備え、
前記ノイズフィルタ基板は、
前記本体内部において、前記ケース開口部側の側面が前記保持部材により全体的に被覆されている、
ことを特徴とする、炊飯器。
【請求項２】
前記接続部材は、前記本体内部の基板と直接的に接続される、
ことを特徴とする、請求項１に記載の炊飯器。
【請求項３】
前記接続部材は、前記ノイズフィルタ基板と直接的に接続される、
ことを特徴とする、請求項１に記載の炊飯器。
【発明の詳細な説明】
【技術分野】
【０００１】
本発明は、炊飯器の技術に関する。
【背景技術】
【０００２】
従来、炊飯器において、電源コードのプラグを接続して炊飯器本体に電力を供給する部材としてインレットが設けられている（例えば、特許文献１を参照）。前記特許文献１に記載の炊飯器においては、炊飯器本体を構成する外ケースにインレットを固定している。
【先行技術文献】
【特許文献】
【０００３】
【特許文献１】特開２０１５−１８１６６３号公報
【発明の概要】
【発明が解決しようとする課題】
【０００４】
上記の従来技術によれば、インレットは外ケースに組付けられるとともに、ハーネスにより炊飯器の本体内部と電気的に接続されている。このため、外ケースを炊飯器の本体内部に組付ける際には、外ケースにインレットが固定され、インレットがハーネスにより本体内部に接続された状態で組付け作業を行う必要がある。このため、取り付け作業が煩雑になるとともに、外ケースの内部にハーネスを収容するためのスペースを確保する必要があるために炊飯器本体の寸法が大きくなっていた。
【０００５】
本発明は、本体内部への外ケースの取り付け作業を簡素化できるとともに炊飯器本体をコンパクト化できる炊飯器を提供するものである。
【課題を解決するための手段】
【０００６】
次に、この課題を解決するための手段を説明する。
【０００７】
即ち、請求項１においては、外ケースと、該外ケースに収容される本体内部と、を備える炊飯器本体と、前記炊飯器本体を開閉可能に、前記炊飯器本体に連結される蓋体と、前記炊飯器本体に収容される内鍋と、前記本体内部に電力を供給する電源コードと、を備える炊飯器であって、前記外ケースにはケース開口部が形成され、前記本体内部における前記電源コードとの接続部材は、保持部材を介して前記本体内部に固定され、前記本体内部に保持されるとともに、前記外ケースのケース開口部に臨んで配設され、前記接続部材に固定されるノイズフィルタ基板をさらに備え、前記ノイズフィルタ基板は、前記本体内部において、前記ケース開口部側の側面が前記保持部材により全体的に被覆されているものである。
【０００８】
これにより、外ケースを炊飯器の本体内部に組付ける際に、接続部材は本体内部に保持されているため、取り付け作業を簡素化することができる。また、接続部材と本体内部とを接続するためのハーネスが短くなり、ハーネスを収容するためのスペースを小さくすることができるため、炊飯器本体をコンパクト化することができる。
【０００９】
請求項２においては、前記接続部材は、前記本体内部の基板と直接的に接続されるものである。
【００１０】
これにより、接続部材と基板とを接続するためのコネクタやハーネスを省略することができるため、炊飯器本体をさらにコンパクト化することができる。
【００１１】
請求項３においては、前記接続部材は、前記ノイズフィルタ基板と直接的に接続されるものである。
【００１２】
これにより、接続部材と基板とを接続するためのコネクタやハーネスを省略することができるため、コネクタやハーネスから放射される電磁波ノイズを低減することができる。
【発明の効果】
【００１３】
本発明の効果として、以下に示すような効果を奏する。
【００１４】
本発明に係る炊飯器は、本体内部への外ケースの取り付け作業を簡素化できるとともに炊飯器本体をコンパクト化できる。
【図面の簡単な説明】
【００１５】
【図１】炊飯器の構成を示す断面図。
【図２】炊飯器の後方斜視図。
【図３】外ケースの組み付け状態を示した図。
【図４】ノイズフィルタ基板とノイズフィルタカバーとの組付け状態を示した図。
【図５】ノイズフィルタ基板及びノイズフィルタカバーの拡大図。
【図６】制御基板とノイズフィルタ基板との位置関係を示した平面図。
【発明を実施するための形態】
【００１６】
［炊飯器２０の構成］
本発明の一実施形態に係る炊飯器２０の構成について、図１から図４を用いて説明する。図１は、炊飯器２０の構成を示す断面図である。本明細書においては、図１及び図２中に示した矢印の方向で炊飯器２０の方向を規定する。なお、本明細書においてはＩＨ式の炊飯器２０について説明を行うが、本発明はヒータ式等の炊飯器に適用することも可能である。
【００１７】
炊飯器２０は、上側に開口部を有する炊飯器本体２１、及び、炊飯器本体２１の上部で前記開口部を開閉可能に連結される蓋体４０からなる。炊飯器本体２１は、鋼板ケースまたは合成樹脂製の上方に開口を有する容器である外ケース２２と、外ケース２２に収容される本体内部とを有する。図３に示す如く、外ケース２２の後面左側における上下方向中途部には、電源コード３９のプラグ３９ａを挿入するためのケース開口部２２ａが外ケース２２を貫通して形成されている。そして、図２及び図３に示す如く、ケース開口部２２ａには、カバー孔３８ａが形成されたインレットカバー３８が配設されている。
【００１８】
本体内部は、後述するように、内ケース２４、底部ワークコイル２７、側部ワークコイル２８、コイル支持台２９、底部遮蔽板７１、側部遮蔽板７２、及び、図示しないフェライト等で構成される。
【００１９】
そして、金属鍋或いは土鍋等の内鍋２３が、本体内部に着脱自在にセットされて、炊飯器本体２１に収容される。この内鍋２３の外側には、内鍋２３の形状に沿った保護枠である内ケース２４が設けられる。この内ケース２４は、例えばポリエチレンテレフタレート等、耐熱性の合成樹脂で形成されており、その底部中央にはサーミスタからなるセンターセンサ１３８ａを内ケース２４の内部に臨ませるためのセンサ挿入孔２４ａが設けられる。
【００２０】
内ケース２４の上端は、外ケース２２の上端と一体に結合される。内ケース２４の底部外面及び底部から側部にかけての湾曲部外面には、内鍋２３を誘導加熱する加熱コイルである底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。具体的には、底部ワークコイル２７は内鍋２３の下方に配設され、底部ワークコイル２７への通電により、内鍋２３の底部に渦電流を誘起して誘導加熱する。また、側部ワークコイル２８は内鍋２３の下側湾曲部の外側方に配設され、側部ワークコイル２８へ高周波電流を通電させることにより、内鍋２３の側部に渦電流を誘起して誘導加熱する。
【００２１】
これら底部ワークコイル２７の下側には合成樹脂製のコイル保持部材であるコイル支持台２９が設けられており、このコイル支持台２９をネジ等で内ケース２４に取付けることにより、底部ワークコイル２７及び側部ワークコイル２８は図示する所定位置に位置決めされて保持される。
【００２２】
これら底部ワークコイル２７及び側部ワークコイル２８の周囲には、アルミニウム製の底部遮蔽板７１及び側部遮蔽板７２が配設されている。具体的には、底部遮蔽板７１が底部ワークコイル２７の下方に配設され、側部遮蔽板７２が側部ワークコイル２８の外側方に配設される。底部遮蔽板７１及び側部遮蔽板７２はコイル支持台２９に保持されている。即ち、コイル保持台２９には、底部ワークコイル２７及び側部ワークコイル２８からなる加熱コイルと、底部遮蔽板７１及び側部遮蔽板７２からなる遮蔽板と、が一体的に保持されているのである。なお、底部遮蔽板７１及び側部遮蔽板７２を他の金属素材で構成することも可能である。
【００２３】
また、本実施形態においては、コイル支持台２９の外周側面から底面にかけて、底部ワークコイル２７と底部遮蔽板７１の間、及び、側部ワークコイル２８と側部遮蔽板７２との間に、図示しないフェライト（磁性体）が取り付けられている。これにより、底部ワークコイル２７及び側部ワークコイル２８に高周波電流を流したときに発生する磁力線のうち、内鍋２３の外側に発生する磁力線をフェライトの内部に誘導し、磁力線の漏れを防止するとともに、内鍋２３との誘導結合を高めるようにしている。
【００２４】
外ケース２２の内部における後側には出力制御基板３２及びノイズフィルタ基板３５が設けられる。出力制御基板３２は、底部ワークコイル２７及び側部ワークコイル２８やＩＧＢＴを備えたＩＨ回路、ＩＨ回路のＩＧＢＴを駆動するＩＧＢＴ駆動回路、保温ヒータ・蓋ヒータ等を駆動制御するヒータ駆動回路、電源電圧整流用のダイオードブリッジおよびＣＲ回路よりなる整流回路などの各種の回路、及び、これらを制御するためのマイコン制御ユニットを備える。出力制御基板３２は、厚さ方向を前後に向けた姿勢で、内鍋２３の後方に配設される。出力制御基板３２の後方には、制御基板カバー３２ｃが配設される。
【００２５】
炊飯器２０においては、出力制御基板３２によってマイコン制御ユニットから信号を出力して、ＩＨ回路を介して底部ワークコイル２７及び側部ワークコイル２８への通電を行うことにより、内鍋２３に渦電流を誘起して加熱している。つまり、出力制御基板３２によって、加熱手段である底部ワークコイル２７及び側部ワークコイル２８による内鍋２３の加熱を制御する構成としている。
【００２６】
ノイズフィルタ基板３５は、電源コード３９からの電源回路部にノイズフィルタ回路を備える。ノイズフィルタ基板３５は、厚さ方向を前後に向けた姿勢で、出力制御基板３２と平行に、出力制御基板３２及び制御基板カバー３２ｃの後方に隣接して配設される。図５及び図６に示す如く、ノイズフィルタ基板３５は、インレット３６が配設されるインレット部３５ａと、コイル３５ｅが配設されるコイル部３５ｂとで構成される。そして、インレット部３５ａの母材３５ｃは前側に位置し、コイル部３５ｂの母材３５ｄは後側に位置するように配設されている。換言すれば、インレット部３５ａとコイル部３５ｂとは、互いに１８０度反転させて配設されているのである。
【００２７】
ノイズフィルタ基板３５には、本体内部と電源コード３９とを電気的に接続する接続部材であるインレット３６が直接的にはんだ付けされることによって接続されている。換言すれば、インレット３６はノイズフィルタ基板３５に対して、コネクタやハーネス等の接続部材を介さずに接続されているのである。これにより、コネクタやハーネス等の接続部材から電磁波ノイズが放射されることを防ぐことができる。
【００２８】
前記の電気部品のなかには発熱するものがあるため、出力制御基板３２の前側下部には発熱素子等を冷却するための冷却フィン３３が設けられる。また、出力制御基板３２、冷却フィン３３、及び、ノイズフィルタ基板３５の熱を放熱するために、それぞれの下方における左側に冷却ファン３４が設けられる。詳細には図６に示す如く、冷却ファン３４による冷却領域を、出力制御基板３２及び冷却フィン３３を冷却するための部分Ｆ１と、ノイズフィルタ基板３５を冷却するための部分Ｆ２とに分けて、それぞれの冷却効率を高めているのである。
【００２９】
本実施形態においては図６に示す如く、出力制御基板３２及び制御基板カバー３２ｃと、ノイズフィルタ基板３５との間に間隙Ｃを設け、冷却ファン３４からの冷却風が間隙Ｃを通過するようにして、間隙Ｃを冷却通路として構成している。そして、間隙Ｃの側（前側）に、インレット部３５ａの母材３５ｃ、及び、コイル部３５ｂのコイル３５ｅ等の発熱しやすい部品を配設することにより、冷却効率を高める構成としている。
【００３０】
図３及び図５に示す如く、インレット３６は保持部材であるノイズフィルタカバー３７に固定されることにより、本体内部に保持される（図５を参照）。このように、インレット３６を本体内部で保持する構成とすることにより、電源コード３９のプラグ３９ａの炊飯器本体２１からの延出量を小さくすることができる。また、炊飯器２０で炊飯を行う際に吹きこぼれ等が発生しても、おねばがインレット３６に進入しにくくなるように構成している。ノイズフィルタカバー３７は、ノイズフィルタ基板３５の後側を全体的に被覆するように配設される。これにより、ノイズフィルタカバー３７はノイズフィルタ基板３５及びインレット３６の防水・防塵カバーとして機能する。
【００３１】
ノイズフィルタカバー３７におけるインレット３６と対応する部分にはカバー開口部３７ａが形成されている。インレット３６は、図１に示す如く、外ケース２２のケース開口部２２ａに臨んで配設されている。即ち、インレット３６は、インレットカバー３８のカバー孔３８ａ、外ケース２２のケース開口部２２ａ、ノイズフィルタカバー３７のカバー開口部３７ａのそれぞれの内部に電源コード３９におけるプラグ３９ａを挿通することにより、プラグ３９ａを挿入可能とされている。
【００３２】
ノイズフィルタ基板３５のうちインレット部３５ａは、インレット３６を介してノイズフィルタカバー３７に支持されている。換言すれば、インレット部３５ａはインレット３６により、所謂フローティング保持がなされている。このように、インレット部３５ａをインレット３６により保持する構成とすることにより、インレット部３５ａをインレット３６と一体的に可動させることができる。すなわち、インレット３６からプラグ３９ａを抜き差しする際にインレット３６が動いても、インレット部３５ａはインレット３６以外の部材に固定されていないため、インレット３６のはんだ付け部分に応力が発生せず、はんだが剥離することを防止することができる。
【００３３】
蓋体４０は、外周面を形成する樹脂製の蓋上部材４１と、蓋下部材４２を有する。蓋下部材４２は、蓋上部材４１と同様に樹脂製の部材であり、その後方部には、ヒンジ軸５８及びヒンジばね５９が配置される。ヒンジ軸５８にはコイル状のヒンジばね５９が装着されるとともに、ヒンジばね５９の一端部は蓋体４０に係止され、他端部はカタ２６に係止されており、蓋体４０に常時開方向のばね力を付与している。
【００３４】
なお、蓋下部材４２の中央且つ後方よりには図示しない蒸気排出筒が設けられている。そして、内鍋２３内の蒸気はこの蒸気排出筒より蓋上部材４１に設けられる蒸気通路を経て、蓋上部材４１の上面に設けられる蒸気口より外部に放出される。蒸気通路を介して放出される蒸気は、蒸気センサ１３８ｃによりその温度が検知される。また、蓋上部材４１の前方側には、押圧部材５０を押圧することによって蓋体４０を開閉可能とする図示しないロック機構が配設されている。
【００３５】
該炊飯器の上記炊飯／調理／保温の各機能に対するタイマー予約や炊飯および保温メニュー、加熱調理メニューの選択、それら各メニューに対応した加熱量、加熱パターン、保温温度、保温時間などの選択設定操作は、当該炊飯器本体の操作パネル部５１に設けられた各種入力スイッチ群（操作キー群）を介してユーザーにより行われ、その選択設定内容に応じて最終的に底部ワークコイル２７、側部ワークコイル２８、及び、保温ヒータ、蓋ヒータ等が適切に制御されるようになっている。
【００３６】
また、上記操作パネル部５１の中央部には、炊飯、調理（例えばパン発酵／焼きなど）、保温の各メニュー、設定された保温温度、設定保温時間、保温経過時間、現在時刻、タイマー炊飯予約時刻、炊飯完了，調理完了までの残時間、その他の各種必要事項を表示する液晶表示部が設けられている。
【００３７】
蓋体４０は、蓋体４０で炊飯器本体２１を閉塞した際に形成される内部空間において、炊飯時における内鍋２３の内部の気圧を調整する圧力調整装置を備える。詳細には、蓋下部材４２の上側中央部には、下方が開口し、上方に突き出た平面視矩形状の弁カバー６０が設けられ、この弁カバー６０の前方側に、圧力調整装置の一部品であるソレノイド６８が配置される。
【００３８】
圧力調整装置は、ソレノイド６８、プランジャ６９、及び球状弁９９等を有し、加圧炊飯が選択されないソレノイド６８の非作動（オフ）時には、プランジャ６９は後方に押し出され、球状弁９９を押して通気孔９７を開放する。
【００３９】
そして、加圧炊飯が選択されるソレノイド６８の作動（オン）時には、プランジャ６９は前方に引き込まれて球状弁９９から離れるため、球状弁９９は自重で通気孔９７の直上に移動して通気孔９７を閉塞する。
【００４０】
その結果、球状弁９９の自重に相当する圧力での炊飯が行われ、内鍋２３内がそれ以上の圧力になると余分な蒸気は球状弁９９を押し上げて通気孔９７より排出される。球状弁９９の開放圧は、所定の気圧に設定されており、蒸気圧がその圧力になると持ち上げられ、通気孔９７を開放する。
【００４１】
このように構成された圧力調整装置において、炊飯時に内鍋２３の内部の気圧を大気圧に調整する場合（圧力制御を停止する場合）は、ソレノイド６８の作動を停止してプランジャ６９によって球状弁９９を押して、通気孔９７を開放する。
【００４２】
次に、圧力調整手段を作動させて、炊飯時に内鍋２３の内部の気圧を例えば所定の気圧に調整する場合は、ソレノイド６８を作動させてプランジャ６９を球状弁９９から離間させ、球状弁９９の自重で通気孔９７を閉塞する。
【００４３】
上記の如く、本実施形態に係る炊飯器２０によれば、外ケース２２にはケース開口部２２ａが形成され、インレット３６は本体内部に保持されるとともにケース開口部２２ａに臨んで配設されている。このように、本実施形態においては図３に示す如く、外ケース２２を炊飯器２０の本体内部に組付ける際に、インレット３６は本体内部に保持されているため、外ケース２２と本体内部とはハーネス等で接続されていない。即ち、外ケース２２を本体内部から完全に分離された状態で組付け作業を行うことができるため、外ケース２２の取り付け作業を簡素化することができる。なお、実際に外ケース２２の組み付けを行う場合は、上下反転させた本体内部の上方から外ケース２２を被せて行うが、図３では説明の便宜上、上側に本体内部を、下側に外ケース２２を記載している。
【００４４】
また、本実施形態においてインレット３６はノイズフィルタ基板３５に対して直接的に接続することにより、インレット３６とノイズフィルタ基板３５とを接続するためのコネクタやハーネスを省略することができるため、炊飯器本体をさらにコンパクト化することができる。具体的には、インレット３６とノイズフィルタ基板３５とを接続するためのコネクタの寸法分の突出量を削減できるのである。
【００４５】
なお、インレット３６をノイズフィルタ基板３５にコネクタやハーネスを介して接続した場合でも、本実施形態によればインレット３６は本体内部に保持されており、本体内部と外ケース２２とを繋ぐ必要がないため、インレット３６と本体内部とを接続するためのハーネスを短くすることができる。即ち、ハーネスを収容するためのスペースを小さくすることができるため、炊飯器本体２１をコンパクト化することができる。
【００４６】
本実施形態において、インレット３６はノイズフィルタ基板３５と接続されているが、インレット３６と、炊飯器本体２１の内部に収容された他の基板と、を直接的に接続する構成とすることも可能である。例えば、インレット３６をノイズフィルタ基板３５に代えて出力制御基板３２と接続する構成や、ヒータ式の炊飯器における電源基板と接続する構成とすることも可能である。このような場合でも、インレット３６と各種基板とを接続するためのコネクタやハーネスを省略することができるため、炊飯器本体をコンパクト化することができる。
【符号の説明】
【００４７】
２０            炊飯器
２１            炊飯器本体
２３            内鍋
３５            ノイズフィルタ基板
３６            インレット
【図１】
0006699357.tif 000002
【図２】
0006699357.tif 000003
【図３】
0006699357.tif 000004
【図４】
0006699357.tif 000005
【図５】
0006699357.tif 000006
【図６】
0006699357.tif 000007